(57)【特許請求の範囲】
【請求項１】
シートに画像を形成する画像形成装置であって、
原稿の画像を読み取る読取部と、
前記読み取られた画像に基づいて、ジョブを条件に従って実行する実行部と、
表示部と、
前記表示部を制御する制御部と
を備え、
前記制御部は、
前記原稿の画像の読み取りに要する第１時間を算出し、
前記第１時間が予め定められた第２時間よりも長いときに、前記読み取りと並行して、前記第２時間の間、ダイアログを前記表示部に表示させ、
前記ダイアログは、前記条件を登録することを促すメッセージを含む、画像形成装置。
【請求項２】
前記第１時間が前記第２時間よりも短いときに、前記読み取りの完了後に、前記ダイアログを前記表示部に表示させる、請求項１に記載の画像形成装置。
【請求項３】
入力部を更に備え、
前記制御部は、
前記入力部を介して、登録済みの前記条件が指定されると、前記条件を読み出し、
読み出した前記条件に従って前記ジョブを前記実行部に実行させる場合は、前記ダイアログを表示することを禁止する、請求項１又は２に記載の画像形成装置。
【請求項４】
前記ダイアログは、前記条件を登録するか否かの指示を受け付ける受付部を含み、
前記受付部が前記条件を登録するか否かの指示を受け付けると、前記制御部は、前記第２時間が経過しているか否かに関わらず、前記ダイアログを非表示にする、請求項１から請求項３のいずれか１項に記載の画像形成装置。
【請求項５】
前記制御部は、前記読取部により読み取られる前記原稿の枚数に基づいて、前記第１時間を算出する、請求項１から請求項４のいずれか１項に記載の画像形成装置。
【発明の詳細な説明】
【技術分野】
【０００１】
本発明は、画像形成装置に関する。
【背景技術】
【０００２】
一般的な画像形成装置は、画像形成動作が従う条件を、ユーザーに設定させる設定機能を有する。例えば、ユーザーは、画像を形成するシートの材質、及び、画像の品質などの条件を設定機能により画像形成装置に設定する。また、特許文献１に記載された印刷システムは、印刷設定（条件）を印刷装置に登録する登録機能を有する。ユーザーが登録済みの印刷設定を呼び出すと、印刷装置は、印刷設定に従って、画像の読み取りと、それに続くジョブ（具体的には、印刷）とを実行する。登録により、ユーザーは、印刷設定を再度入力することなく、印刷装置にジョブを実行させることができる。
【０００３】
また、特許文献１に記載された印刷システムは、登録機能の活用を図るために、ユーザーが入力した印刷設定を登録するように促すメッセージを印刷装置に表示する。メッセージを表示することで、印刷システムが登録機能を有することをユーザーに知らせることができ、登録機能の活用を図ることができる。
【先行技術文献】
【特許文献】
【０００４】
【特許文献１】特開２０１２−１９４６２２号公報
【発明の概要】
【発明が解決しようとする課題】
【０００５】
ところが、メッセージを表示するタイミングによっては、ユーザーは、メッセージの表示を煩わしく感じることがある。例えば特許文献１に記載の印刷システムにおいては、メッセージを表示し、ユーザーが印刷設定（条件）を登録するか否かを応答した後で、読み取り、及びジョブを実行する。その結果、ユーザーが条件を入力してから、印刷が終了するまでの時間が長くなる。従って、登録機能の存在を知っているユーザーにとっては、メッセージの表示が煩わしく感じられるものとなる。
【０００６】
本発明は上記課題に鑑みてなされたものであり、その目的は、ユーザーに煩わしさを感じさせずに、ジョブを実行する際に画像形成装置が従う条件の登録機能をユーザーに有効活用させることができる画像形成装置を提供することにある。
【課題を解決するための手段】
【０００７】
本発明に係る画像形成装置は、シートに画像を形成する。画像形成装置は、読取部と、実行部と、表示部と、制御部とを備える。前記読取部は、原稿の画像を読み取る。前記実行部は、前記読み取られた画像に基づいて、ジョブを条件に従って実行する。前記制御部は、前記表示部を制御する。そして、前記制御部は、前記原稿の画像の読み取りに要する第１時間を算出する。前記制御部は、前記第１時間が予め定められた第２時間よりも長いときに、前記読み取りと並行して、前記第２時間の間、ダイアログを前記表示部に表示させる。前記ダイアログは、前記画像形成装置に前記条件を登録することを促すメッセージを含む。
【発明の効果】
【０００８】
本発明に係る画像形成装置によれば、ユーザーに煩わしさを感じさせずに、ジョブを実行する際に画像形成装置が従う条件の登録機能をユーザーに有効活用させることができる。
【図面の簡単な説明】
【０００９】
【図１】本発明の実施形態に係る画像形成装置を示す図である。
【図２】図１に示す原稿搬送ユニットを拡大して示す図である。
【図３】図１に示す表示部に表示される第１画面の一例を示す図である。
【図４】表示部に表示される読込中画面の一例を示す図である。
【図５】表示部に表示される第１ダイアログの一例を示す図である。
【図６】図１に示す制御部の動作を示すフローチャートである。
【図７】制御部５の動作を示すフローチャートである。
【図８】制御部５の動作を示すフローチャートである。
【図９】読込中画面に第１ダイアログが表示された状態を示す図である。
【図１０】読込中画面に第２ダイアログが表示された状態を示す図である。
【図１１】第１画面に第１ダイアログが表示された状態を示す図である。
【発明を実施するための形態】
【００１０】
以下、本発明の実施形態について、図面（図１〜図１１）を参照しながら説明する。なお、図中、同一又は相当部分については同一の参照符号を付して説明を繰り返さない。
【００１１】
図１を参照して、本発明の実施形態に係る画像形成装置１００について説明する。図１に示すように、画像形成装置１００は、例えば、複合機である。具体的には、画像形成装置１００は、画像形成ユニット１（実行部）、画像読取ユニット２（読取部）、原稿搬送ユニット３、操作パネル４（入力部）、給送ユニット１１、搬送ユニット１３、排出ユニット１５、制御部５、記憶部６、及び送信部７を備える。画像形成装置１００は、コピー機能、印刷機能、スキャン機能、及びファクシミリ機能を有する。また、画像形成装置１００は登録機能を有する。登録機能は、画像形成ユニット１がジョブを実行する際に従う条件を、画像形成装置１００に登録する機能である。登録機能については、図６から図８を参照して説明する。
【００１２】
画像形成ユニット１は、用紙Ｐ（シート）に画像を形成する。画像読取ユニット２は、原稿Ｕに形成された画像を読み取る。送信部７は、画像を外部に送信する。本明細書では、「ジョブ」は、画像形成ユニット１による画像形成動作、又は、送信部７による送信動作を示し、画像読取ユニット２が画像を読み取る動作を含まない。原稿搬送ユニット３は、原稿Ｕを画像読取ユニット２に搬送する。原稿搬送ユニット３は、例えば、ＡＤＦ（Ａｕｔｏ  Ｄｏｃｕｍｅｎｔ  Ｆｅｅｄｅｒ）である。操作パネル４は、画像形成装置１００に対するユーザーからの操作を受け付ける。操作パネル４は表示部４１を含む。表示部４１は、第１画面ＤＰ１及び第２画面ＤＰ２を表示する。第１画面ＤＰ１については、図３を参照して後述する。第２画面ＤＰ２については、図４を参照して後述する。表示部４１はタッチパネルであり、画面に触れることによりユーザーからの操作を受け付ける。
【００１３】
給送ユニット１１は、用紙Ｐを積載するとともに、用紙Ｐを搬送ユニット１３に給送する。搬送ユニット１３は、用紙Ｐを画像形成ユニット１に搬送する。更に、搬送ユニット１３は、画像の形成された用紙Ｐを排出ユニット１５に搬送する。排出ユニット１５は、画像の形成された用紙Ｐを排出する。
【００１４】
制御部５は、画像形成ユニット１、画像読取ユニット２、送信部７、原稿搬送ユニット３、操作パネル４、給送ユニット１１、搬送ユニット１３、及び排出ユニット１５を制御する。制御部５は、例えば、プロセッサーを含む。プロセッサーは、例えば、ＣＰＵ（Ｃｅｎｔｒａｌ  Ｐｒｏｃｅｓｓｉｎｇ  Ｕｎｉｔ）を含む。記憶部６は、データ及びコンピュータープログラムを記憶する。記憶部６は、例えば、半導体メモリーを含み、ＨＤＤ（Ｈａｒｄ  Ｄｉｓｋ  Ｄｒｉｖｅ）を更に含んでもよい。
【００１５】
次に、図２を参照して、原稿搬送ユニット３を説明する。図２に示すように、原稿搬送ユニット３は、原稿搬送路２１、原稿トレイ２２、ピックアップローラー２４、及び原稿排出トレイ２６を有する。原稿搬送路２１に沿って複数の搬送ローラーが設けられている。原稿Ｕは、原稿トレイ２２にセットされる。原稿Ｕは、原稿トレイ２２から原稿搬送路２１に沿って画像読取ユニット２の読取位置ＲＰに搬送される。原稿Ｕが読取位置ＲＰを通過する際に、画像読取ユニット２による原稿Ｕの読み取りが行われる。読み取りの終わった原稿Ｕは、引き続き原稿搬送路２１に沿って搬送されて、最終的に原稿排出トレイ２６に排出される。
【００１６】
ピックアップローラー２４は、原稿トレイ２２にセットされた原稿Ｕと当接した状態で回転し、原稿トレイ２２から原稿Ｕを引き出す。
【００１７】
原稿トレイ２２は、昇降可能なリフト板２７を含む。リフト板２７は、原稿トレイ２２の原稿搬送方向の下流側の部分である。リフト板２７はピックアップローラー２４と上下方向において対向する。リフト板２７は、回動軸２７ａを支点として回動する。回動軸２７ａは、リフト板２７の原稿搬送方向における上流側の端部に設けられる。リフト板２７は、リフト板２７の原稿搬送方向における下流側の端部を上下方向に振るように回動する。即ち、リフト板２７の原稿搬送方向における下流側の端部が昇降する。そして、リフト板２７の原稿搬送方向における下流側の端部が上昇すると、リフト板２７がピックアップローラー２４に接近する。リフト板２７の原稿搬送方向における下流側の端部が下降すると、リフト板２７がピックアップローラー２４から離れる。
【００１８】
リフト板２７は、画像形成装置１００がジョブの実行指示を受けたとき、上昇を開始し、リフト板２７に載置された原稿束を持ち上げる。これにより、原稿Ｕの原稿搬送路２１への給送が可能な位置（以下、給送位置と記載する）に原稿束が到達する。また、原稿束が持ち上げられることにより、原稿束がピックアップローラー２４に当接し、ピックアップローラー２４が原稿束に押されて持ち上げられる。リフト板２７は、原稿束が給送位置に到達したとき、上昇を停止する。その後、原稿束がピックアップローラー２４に当接した状態で、即ち、原稿束が給送位置まで持ち上げられた状態で、原稿搬送路２１への給送動作が行われる。
【００１９】
原稿搬送ユニット３は、更に、上限検知センサー２３、及び検知片２８を有する。上限検知センサー２３は、リフト板２７に載置された原稿束が給送位置に到達したか否かを検知する。上限検知センサー２３は、ピックアップローラー２４の上部に配置される。例えば、上限検知センサー２３は、発光部及び受光部を有する透過型の光センサーである。検知片２８は、上限検知センサー２３の検知対象としてピックアップローラー２４と共に持ち上げられる。検知片２８は、原稿束が給送位置に無いとき、上限検知センサー２３の検知領域である発光部と受光部との間の光路から外れる。一方で、検知片２８は、原稿束が給送位置に到達したとき、上限検知センサー２３の検知領域を遮光する。従って、上限検知センサー２３は、原稿束が給送位置に到達したときと到達していないときとで出力値を変化させる。
【００２０】
制御部５は、リフト板２７が上昇を開始してから上昇を停止するまでの移動距離により原稿束の厚みを算出する。そして、原稿束の厚みから、原稿トレイ２２に載置された原稿Ｕの枚数を算出する。原稿Ｕの紙の種類が入力されれば、より正確に原稿Ｕの枚数を算出することができる。
【００２１】
図３は、第１画面ＤＰ１の一例を示す。第１画面ＤＰ１は、コピー機能に対応する基本画面であり、コピー機能のジョブが従う条件を入力するために表示部４１に表示される。ユーザーは、第１画面ＤＰ１において、複数の項目のうちの１つの項目を選択し、選択した項目に関する条件を入力する。例えば、ユーザーは、項目「給紙トレイ」、項目「ズーム」、項目「ホッチキス／パンチ」、項目「濃度」、項目「片面／両面」、及び項目「分割」のうちの１つの項目を選択し、選択した項目に関する条件を入力する。
【００２２】
図４は、第２画面ＤＰ２の一例を示す。第２画面ＤＰ２は、画像読取ユニット２が、原稿Ｕから画像を読み取っている間に表示部４１に表示される画面である。第２画面ＤＰ２には、第１画面ＤＰ１において設定された条件が表示される。図４に示す第２画面ＤＰ２は、読み取りの条件を表示欄ＨＲ１１に表示し、印刷の条件を表示欄ＨＲ１２に表示する。また、第２画面ＤＰ２は、読み取りが完了した原稿Ｕの枚数を表示欄ＨＲ１３に表示する。
【００２３】
第２画面ＤＰ２が表示部４１に表示されている間、操作パネル４は、条件の入力を受け付けない状態になっている。従って、第２画面ＤＰ２が表示部４１に表示されている間、ユーザーに待ち時間が発生する。
【００２４】
図５は、第１ダイアログＤＲ１（ダイアログ）の一例を示す。第１ダイアログＤＲ１は、画像形成装置１００に対する条件の登録を促すメッセージＭＳ１を含む。
【００２５】
第１ダイアログＤＲ１は、条件を登録するか否かの指示を受け付ける受付部４１１を含む。受付部４１１は、一例として、「Ｙｅｓ」ボタン及び「Ｎｏ」ボタンを含む。ユーザーが、表示部４１における「Ｙｅｓ」ボタンの表示部分を押下すると、条件を登録するとの指示が受け付けられる。ユーザーが表示部４１における「Ｎｏ」ボタンの表示部分を押下すると、条件を登録しないとの指示が受け付けられる。
【００２６】
次に、図６から図１１を参照して、制御部の動作を説明する。図６から図８は、制御部５の動作を示すフローチャートである。
【００２７】
制御部５は、表示部４１に第１画面ＤＰ１を表示させる（Ｓ１０１）。第１画面ＤＰ１において条件が入力され（Ｓ１０２）、操作パネル４のスタートボタン４２が押下されると、原稿からの画像の読み取りが開始される（Ｓ１０３）。制御部５は、表示部４１に、第２画面ＤＰ２を表示する（Ｓ１０４）。
【００２８】
なお、ステップＳ１０２において、条件が画像形成装置１００に登録済みの場合に、第１画面ＤＰ１を介して登録済みの条件が指定されると、条件が読み出される。読み出した条件に従ってジョブを画像形成ユニット１又は送信部７に実行させる場合は、後述のステップＳ１０７及びステップＳ１１７で第１ダイアログＤＲ１を表示することが禁止される。また、ステップＳ１０２において入力された条件が、記憶部６に記憶された登録情報ＳＢと同じ内容である場合にも、ステップＳ１０３以降の処理が実行される。ステップＳ１０３以降の処理を実行することで、ユーザーは、画像形成装置１００が登録機能を有することを認識できる。
【００２９】
制御部５は、原稿トレイ２２にセットされた全ての原稿Ｕの画像の読み取りに要する第１時間ＴＰ１を算出する（Ｓ１０５）。制御部５は、第１時間ＴＰ１を原稿Ｕの枚数に基づいて算出する。制御部５は、第１時間ＴＰ１を、原稿Ｕの枚数と、原稿Ｕのサイズとに基づいて算出することもできる。
【００３０】
次に、制御部５は、第１時間ＴＰ１と第２時間ＴＰ２とを比較し（Ｓ１０６）、第１時間ＴＰ１が第２時間ＴＰ２以上である場合（Ｓ１０６で「Ｙｅｓ」）に、第２画面ＤＰ２の上に重ねるように第１ダイアログＤＲ１を表示する（Ｓ１０７、図９参照）。
【００３１】
第２時間ＴＰ２は、第１ダイアログＤＲ１を表示する時間である。第２時間ＴＰ２は、ユーザーがメッセージを読み、受付部４１１により指示をするのに必要十分な時間に定められる。例えば、第２時間ＴＰ２は、１秒以上、５秒以下であることが好ましく、２秒以上、３秒以下であることがより好ましい。
【００３２】
次に、制御部５は、第１ダイアログＤＲ１の表示を開始してから第２時間ＴＰ２が経過しているかを判断し（Ｓ１０８）、第２時間ＴＰ２が経過しているとき（Ｓ１０８で「Ｙｅｓ」）に、第１ダイアログＤＲ１を非表示にし（Ｓ１０９）、処理は終了する。第１ダイアログＤＲ１の表示を開始してから第２時間ＴＰ２が経過していないときは（Ｓ１０８で「Ｎｏ」）、処理はステップＳ１１０に進む。
【００３３】
制御部５は、第１ダイアログＤＲ１の受付部４１１において、条件を登録しないとの指示が受け付けられたか否かを判断する（Ｓ１１０）。指示が受け付けられたときは（Ｓ１１０で「Ｙｅｓ」）、処理はステップＳ１０９に進む。指示が受け付けられていないときは（Ｓ１１０で「Ｎｏ」）、処理はステップＳ１１１に進む。
【００３４】
制御部５は、第１ダイアログＤＲ１の受付部４１１において、条件を登録するとの指示が受け付けられたか否かを判断する（Ｓ１１１）。指示が受け付けられたときは（Ｓ１１１で「Ｙｅｓ」）、処理は図７に示すステップＳ１１２に進む。指示が受け付けられていないときは（Ｓ１１１で「Ｎｏ」）、処理は図６のステップＳ１０７に戻る。つまり、第１ダイアログＤＲ１の表示を開始してから第２時間ＴＰ２が経過しておらず、条件を登録するとの指示も、登録をしないとの指示もなされない間は、第１ダイアログＤＲ１の表示が継続される。
【００３５】
次に、制御部５は、第２画面ＤＰ２の上に重ねるようにして、第２ダイアログＤＲ２を表示部４１に表示し（図７のＳ１１２、図１０参照）、読み取りが完了しているかを判断する（Ｓ１１３）。
【００３６】
第２ダイアログＤＲ２は、例えば登録画面がジョブの完了後に表示部４１に表示されることを予告するメッセージと、「ＯＫ」ボタンとを含む。メッセージが表示されることで、ユーザーは、条件を登録するとの指示が受け付けられたことを確認することができる。また、ユーザーが、「ＯＫ」ボタンが表示された表示部４１の領域を押下することにより、第２ダイアログＤＲ２は非表示にされる。
【００３７】
読み取りが完了していない場合には（Ｓ１１３で「Ｎｏ」）、処理はステップＳ１１２に戻る。完了している場合には（Ｓ１１３で「Ｙｅｓ」）、第２ダイアログＤＲ２を非表示にし（Ｓ１１４）、登録画面を表示し（Ｓ１１５）、処理は終了する。
【００３８】
続けて、図６及び図８を参照して、ステップＳ１０６以降の処理を説明する。
ステップＳ１０６において、第１時間ＴＰ１が第２時間ＴＰ２より短い場合（Ｓ１０６で「Ｎｏ」）には、処理は図８のステップＳ１１６に進む。
【００３９】
制御部５は、全ての原稿Ｕの画像の読み取りが完了したか否かを判断する（Ｓ１１６）。読み取りが完了していない場合には（Ｓ１１６で「Ｎｏ」）、読み取りが完了するまで待機する。
【００４０】
読み取りが完了している場合には（Ｓ１１６で「Ｙｅｓ」）、第１画面ＤＰ１の上に重ねるように第１ダイアログＤＲ１を表示する（Ｓ１１７、図１１参照）。
【００４１】
次に、制御部５は、第１ダイアログＤＲ１の表示を開始してから第２時間ＴＰ２が経過しているかを判断し（Ｓ１１８）、第２時間ＴＰ２が経過しているときは（Ｓ１１８で「Ｙｅｓ」）、第１ダイアログＤＲ１を非表示にし（Ｓ１１９）、処理は終了する。第１ダイアログＤＲ１の表示を開始してから第２時間ＴＰ２が経過していないときは（Ｓ１１８で「Ｎｏ」）、処理はステップＳ１２０に進む。
【００４２】
制御部５は、第１ダイアログＤＲ１の受付部４１１において、条件を登録しないとの指示が受け付けられたか否かを判断する（Ｓ１２０）。指示が受け付けられたときは（Ｓ１２０で「Ｙｅｓ」）、処理はステップＳ１１９に進む。指示が受け付けられていないときは（Ｓ１２０で「Ｎｏ」）、処理はステップＳ１２１に進む。
【００４３】
制御部５は、第１ダイアログＤＲ１の受付部４１１において、条件を登録するとの指示が受け付けられたか否かを判断する（Ｓ１２１）。指示が受け付けられたときは（Ｓ１２１で「Ｙｅｓ」）、処理はステップＳ１２２に進む。制御部５は、登録画面を表示し（Ｓ１２２）、処理は終了する。
【００４４】
指示が受け付けられていないときは（Ｓ１２１で「Ｎｏ」）、処理はステップＳ１１７に戻る。つまり、第１ダイアログＤＲ１の表示を開始してから第２時間ＴＰ２が経過しておらず、条件を登録するとの指示も、登録しないとの指示もなされない間は、第１ダイアログＤＲ１の表示が継続される。
【００４５】
次に、条件の登録について説明する。制御部５は、条件を登録情報ＳＢとして記憶部６に記憶させ、条件を画像形成装置に登録する。
【００４６】
表１に、登録情報ＳＢの一例を示す。登録情報ＳＢは、登録名と、それ以外の設定項目（条件）とを含む。表１に示す登録情報ＳＢにおいては、「登録名」として、「会議用」が設定されている。設定項目「用紙の種類」には、条件「普通紙」が設定され、設定項目「印刷品質」には、条件「標準」が設定されている。
【００４７】
【表１】
0006406291.tif 000002
【００４８】
以上、図１から図１１を参照して説明したように、本実施形態によれば、原稿Ｕの画像の読み取りに要する第１時間ＴＰ１が算出され、第１時間ＴＰ１が予め定められた第２時間ＴＰ２以上であるときに、読み取りと並行して、第２時間ＴＰ２の間、第１ダイアログＤＲ１が表示部４１に表示される。読み取り時間が長いときに、読み取りと並行して、条件の登録を促すメッセージを表示することで、ユーザーに煩わしさを感じさせずに、条件の登録機能をユーザーに有効活用させることができる。
【００４９】
また、本実施形態によれば、第１時間ＴＰ１が第２時間ＴＰ２よりも短いときには、読み取りの完了後に、第１ダイアログＤＲ１が表示部４１に表示される。画像形成装置１００においては、読み取りが完了したときに表示部４１の表示が第２画面ＤＰ２から第１画面ＤＰ１に切り替わる。読み取りの完了後に第１ダイアログＤＲ１が表示されることで、画面の切り替わりをユーザーに明確に認識させることができる。
【００５０】
更に、本実施形態によれば、制御部５は、操作パネル４における操作によりユーザーが登録済みの条件を指定した場合に、第１ダイアログＤＲ１及び第２ダイアログＤＲ２の表示を禁止する。従って、ユーザーに煩わしさを感じさせずに、条件の登録機能をユーザーに有効活用させることができる。
【００５１】
更に、本実施形態によれば、第１ダイアログＤＲ１が、条件を登録するか否かを受け付ける受付部４１１を含み、制御部５は、受付部４１１が条件を登録するか否かの指示を受け付けると、第２時間ＴＰ２が経過しているか否かに関わらず、第１ダイアログＤＲ１を非表示にする。従って、第１ダイアログＤＲ１が不必要に表示されることがなく、ユーザーの煩わしさを低減することができる。
【００５２】
更に、本実施形態によれば、制御部５は、原稿Ｕの枚数に基づいて、第１時間ＴＰ１を算出する。従って、原稿Ｕの画像の読み取りに要する時間を合理的に算出することができる。
【００５３】
以上、図面を参照しながら本発明の実施形態について説明した。但し、本発明は、上記の実施形態に限られるものではなく、その要旨を逸脱しない範囲で種々の態様において実施することが可能である（例えば、下記（１））。また、上記の実施形態に開示されている複数の構成要素を適宜組み合わせることによって、種々の発明の形成が可能である。例えば、実施形態に示される全構成要素から幾つかの構成要素を削除してもよい。更に、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【００５４】
（１）画像形成装置１００は、送信部７がジョブを実行する際に従う条件を登録可能に構成される。そして、条件の登録を促すダイアログを、第１ダイアログＤＲ１と同様に表示部４１に表示させる。その結果、条件の登録機能をユーザーに有効活用させることができる。
【産業上の利用可能性】
【００５５】
本発明は、画像形成装置の分野に利用可能である。
【符号の説明】
【００５６】
１        ：画像形成ユニット
２        ：画像読取ユニット
４        ：操作パネル
５        ：制御部
６        ：記憶部
４１      ：表示部
１００    ：画像形成装置
４１１    ：受付部
ＤＲ１    ：第１ダイアログ
ＭＳ１    ：メッセージ
ＳＢ      ：登録情報
ＴＰ１    ：第１時間
ＴＰ２    ：第２時間
【図１】
0006406291.tif 000003
【図２】
0006406291.tif 000004
【図３】
0006406291.tif 000005
【図４】
0006406291.tif 000006
【図５】
0006406291.tif 000007
【図６】
0006406291.tif 000008
【図７】
0006406291.tif 000009
【図８】
0006406291.tif 000010
【図９】
0006406291.tif 000011
【図１０】
0006406291.tif 000012
【図１１】
0006406291.tif 000013